(57)【要約】【課題】  服用方法等が異なる薬であっても、一つの薬袋で対応可能であり、かつ、服用の仕方が容易に確認可能な薬袋を提供する。【解決手段】  複数の開口部を有する薬袋本体１１ａ，１１ｂと、複数の蓋体１２ａ，１２ｂ，１２ｃとを有し、前記蓋体１２ａ，１２ｂ，１２ｃは、前記開口部毎に開閉自在に前記薬袋本体１１ａ，１１ｂに連結され、前記蓋体１２ａ，１２ｂ，１２ｃには第１の情報１５ａ，１５ｂ，１５ｃが記載され、前記薬袋本体１１ａ，１１ｂの前記開口部周辺には第２の情報１６ａ，１６ｂ，１６ｃが記載され、前記蓋体１２ａ，１２ｂ，１２ｃで前記開口部を封止した場合には前記第２の情報１６ａ，１６ｂ，１６ｃが覆われ、前記開口部を開封した場合には前記第２の情報１６ａ，１６ｂ，１６ｃが露出する薬袋。【選択図】図１
2008168086.tif 000002
【特許請求の範囲】
【請求項１】
複数の開口部を有する薬袋本体と、複数の蓋体とを有し、前記蓋体は、前記開口部毎に開閉自在に前記薬袋本体に連結され、前記蓋体には第１の情報が記載され、前記薬袋本体の前記開口部周辺には第２の情報が記載され、前記蓋体で前記開口部を封止した場合には前記第２の情報が覆われ、前記開口部を開封した場合には前記第２の情報が露出する薬袋。
【請求項２】
前記蓋体に記載の第１の情報が、薬の服用時に関する情報であり、前記薬袋本体の開口部周辺に記載の第２の情報が、薬の服用方法に関する情報である請求項１記載の薬袋。
【請求項３】
前記薬袋本体の形状が矩形であり、前記矩形形状の三辺に開口部を有する請求項１または２記載の薬袋。
【請求項４】
前記三辺において、第１の辺の蓋体に記載の第１の情報が「朝」であり、第２の辺の蓋体に記載の第１の情報が「昼」であり、第３の辺の蓋体に記載の第１の情報が「夜」であり、前記薬袋本体の前記三辺の各開口部周辺に記載の各第２の情報が、前記各蓋体に記載の各第１の情報に応じた服用方法である請求項３記載の薬袋。
【請求項５】
前記薬袋本体内部に１個の薬収納部を有し、前記薬収納部は、前記複数の開口部と連通している請求項１から４のいずれか一項に記載の薬袋。
【請求項６】
前記薬袋本体内部に複数の薬収容部を有し、前記各薬収容部は、前記複数の開口部における一つの開口部と連通している請求項１から４のいずれか一項に記載の薬袋。
【発明の詳細な説明】
【技術分野】
【０００１】  本発明は、例えば、調剤薬局もしくは病院等において使用される薬袋に関する。
【背景技術】
【０００２】  風邪等の病気に罹った場合、病院に行って診察してもらうが、その際に、病気の症状に応じて薬が処方される。処方された薬は、その病院で受け取る場合もあれば、処方箋を受け取り、それをもって調剤薬局で調剤してもらい、薬を受け取る場合もある。いずれの場合においても、処方された薬は、薬袋に収納して渡される。薬を受け取る際には、医者、看護師、調剤薬局の薬剤師等から、口頭等により薬の種類、薬の服用時、薬の服用方法等について説明を受ける。また、受け取った薬袋には、薬の種類、薬の服用時、薬の服用方法等が、一箇所にまとめて記載されていることが一般的である。したがって、「朝」服用する薬、「昼」服用する薬、「夜」服用する薬等のように、服用時が異なる場合、または、食前、食間、食後のように服用の仕方が異なる場合は、間違えないように、複数の薬袋に、飲み方が共通する薬毎に収納することが一般的であった。薬袋は、薬の服用方法等が記載されている以外は、特に工夫されず、封筒型の薬袋が用いられている。構造が工夫された薬袋もあるが、それは視覚障害者用の点字の薬袋のように、特別な用途に用いる場合に限られていた（特許文献１参照）。
【特許文献】  特開２００６−１３０２２０号公報
【発明の開示】
【発明が解決しようとする課題】
【０００３】  上記のように、従来の薬袋では、患者は、たくさんの薬袋を受け取ることになる。このため、薬の取扱い、薬の持ち運びが億刧になり、薬を指示通りに服用することが疎かになることがあった。また、服用毎に、複数の薬袋の表示を読んで、服用すべき薬を判断し、服用量、服用の方法を確認しなければならなかった。このようなことは、健常者であっても煩雑であり、かつ服用ミスが起こる可能性もあり、病気をしている患者であれば判断力も衰えているために、なおさら問題である。したがって、従来の薬袋は、患者本位で作られたものではなかったといえる。【０００４】  そこで、本発明は、異なった服用方法等の薬であっても、一つの薬袋もしくはできるだけ少ない数の薬袋で足り、かつ、藁の種類、服用時、服用方法等が、簡単に確認できる薬袋を提供することを、目的とする。
【課題を解決するための手段】
【０００５】  前期目的を達成するために、本発明の薬袋は、複数の開口部を有する薬袋本体と、複数の蓋体とを有し、前記蓋体は、前記開口部毎に開閉自在に前記薬袋本体に連結され、前記蓋体には第１の情報が記載され、前記薬袋本体の前記開口部周辺には第２の情報が記載され、前記蓋体で前記開口部を封止した場合には前記第２の情報が覆われ、前記開口部を開封した場合には前記第２の情報が露出するという構成である。
【発明の効果】
【０００６】  本発明の薬袋は、前記開口部を複数有し、かつぞれぞれの前記開口部は前記蓋体で開封自在である。そして、前記蓋体には前記第１の情報が記載され、前記薬袋本体の前記開口部周辺には、前記第２の情報が記載されている。このため、本発明の薬袋は、例えば、服用時に応じて服用方法等が異なる場合は、蓋体の第１の情報として、「朝」、「昼」、「夜」等のような服用時を記載し、薬袋本体の第２の情報として、「食前」、「食間」、「食後」等のような服用方法を記載しておけば、一つの薬袋で対応でき、かつ、服用時、服用方法等の情報も簡単に確認できる。したがって、本発明の薬袋を使用すれば、薬の携帯も楽になり、薬の服用ミスを防止することも可能となり、患者にとって薬を服用しやすくなる。
【発明を実施するための最良の形態】
【０００７】  本発明の薬袋において、前記蓋体に記載の第１の情報が、薬の服用時に関する情報であり、前記薬袋本体の開口部周辺に記載の第２の情報が、薬の服用方法に関する情報であることが好ましい。【０００８】  本発明の薬袋において、前記薬袋本体の形状が矩形であり、前記矩形形状の三辺に開口部を有することが好ましい。この場合、例えば、前記三辺において、第一の辺の蓋体に記載の第１の情報が「朝」であり、第二の辺の蓋体に記載の第１の情報が「昼」であり、第三の辺の蓋体に記載の第１の情報が「夜」であり、前記薬袋本体の前記三辺の各開口部周辺に記載の第２の情報が、前記各蓋体に記載の情報に応じた服用方法であるという態様であってもよい。なお、前記矩形は、正方形でもよいし、長方形であってもよい。【０００９】  本発明の薬袋は、前記薬袋本体内部に１個の薬収納部を有し、前記薬収納部は、前記複数の開口部と連通しているという態様であってもよい。また、本発明の薬袋は、前記薬袋本体内部に複数の薬収容部を有し、前記各薬収容部は、前記複数の開口部における一つの開口部と連通しているという態様であってもよい。【００１０】  つぎに、本発明の薬袋を、実施例により説明する。ただし、本発明の薬袋は、後記実施例に、限定もしくは制限されない。
【実施例１】
【００１１】  図１から図５に、本発明の薬袋の一実施例を示す。前記図１から図５において、同一部分には同一符号を付している。【００１２】  本実施例の薬袋は、一枚のシート（例えば、紙シート）を折り曲げるだけで作製可能なものである。図１の平面図に、前記シートを示す。図示のように、このシート１ａは、薬袋本体を形成するための正方形の正面部１１ａと、薬袋本体を形成するための正方形の裏面部１１ｂと、蓋体を形成するための略三角形状の蓋体部１２ａ，１２ｂおよび１２ｃから構成されている。前記蓋体部の先端は、丸く形成されている。正面部１１ａと裏面部１１ｂとは、一つの辺（同図において点線部）で一体的に結合しており、前記辺を折り曲げ線として折り曲げることで、薬袋本体が形成され、前記辺は、薬袋本体の底部となり、その他の三辺部は開口部となる。なお、正面部１１ａと、裏面部１１ｂの大きさは、特に制限されず、同じ大きさでもよいし、異なっていてもよい。好ましくは、裏面部１１ｂが正面部１１ａより、若干小さいことである。このようにすれば、正面部１１ａと裏面部１１ｂを折り曲げて薬袋本体を形成した際に、折りたたみが容易であり、また、中に薬を収納した際に、薬袋本体にふくらみ持たせることができ、薬の収納が容易になる。また、本実施例の薬袋は、薬収容部が一つであり、三つの開口部と一つの薬収容部が連通している。三つの蓋体部１２ａ，１２ｂおよび１２ｃは、それぞれの底辺が、正面部１１ａの三辺のうちの一辺と一体的に連結している。前記三辺（同図において点線部）を折り曲げ線として、蓋体部を折り曲げることにより、前記三辺の開口部を封止することが可能である。三つの蓋体部１２ａ，１２ｂおよび１２ｃのそれぞれの一部には、直線状の切り欠き部１３ａ，１３ｂおよび１３ｃが形成されている。一方、切り欠き部１３ａ，１３ｂおよび１３ｃに対応して、薬袋本体を構成する裏面部１１ｂには、三つのスリット１４ａ，１４ｂおよび１４ｃが形成されている。これは、蓋体部１２ａ，１２ｂおよび１２ｃで、各開口部を封止した際に、各蓋体が容易に開かないように、蓋体先端をスリットに挿入し、切り欠き部を、スリットの一端に係止させて固定するためのものである。各蓋体部１２ａ，１２ｂおよび１２ｃには、それぞれ、第１の情報が記載（印刷）されている。本実施例において、第１の情報は、薬の服用時であり、図示のように、蓋体部１２ａの第１の情報１５ａは「朝」であり、蓋体部１２ｂの第１の情報１５ｂ「昼」であり、蓋体部１２ｃの第１の情報１５ｃは「夜」である。また、本実施例において、第１の情報に対応する第２の情報が、裏面部１１ｂの前記開口部を形成する三辺の周辺に記載（印刷）されている。図示のように、第２の情報１６ａ，１６ｂおよび１６ｃは、薬の種類（散剤、錠剤、カプセル）、薬の個数、服用の方法（食前、食間、食後、就寝前）である。また、正面部１１ａの略中央には、薬を受け取る患者の氏名が記載できるようになっており、空欄の末尾に敬称の「様」の字が印刷してあり、さらに、氏名を記載する欄（空欄）の下段には、患者をいたわる言葉「お大事になさってください。」が印刷してある。【００１３】  図２に、前記シート１ａを折りたたみ、本実施例の薬袋１を構成した状態を示す。同図は、裏面側から見た本実施例の薬袋を示す。図示のように、三つの蓋体部１２ａ，１２ｂおよび１２ｃの先端部は、裏面部１１ｂの各スリット１４ａ，１４ｂおよび１４ｃに挿入され、切り欠き部はスリットの一端に係止されて、各蓋体は薬袋本体に固定される。この状態では、各蓋体に記載された第１の情報（本実施例では、「朝」、「昼」および「夜」）が、視認可能であり、裏面部１１ｂに記載された第２の情報は、各蓋体に覆われて視認できない状態である。【００１４】  図３に、本実施例の薬袋１を正面から見た状態を示す。図示のように、本実施例の薬袋１では、正面に、患者の氏名が記載できるようになっており、かつ、患者をいたわる言葉も印刷している。なお、図示していないが、病院の名称、電話番号、Ｆａｘ番号、Ｅｍａｉｌアドレス、地図等の病院に関する情報、薬の受け渡し日、薬の服用に関する一般的注意事項等の情報を、本発明の薬袋に記載してもよい。これらの情報の記載場所は、特に制限されず、例えば、薬袋の正面部であってもよい。【００１５】  図４に、本実施例の薬袋１を裏面から見た状態であって、一つの蓋体を開けて開口部を開放した状態を示す。図示のように、本実施例では、「昼」と印刷されていた蓋体１２ｂを開けた場合、裏面体１１ｂの開口部周辺に記載されていた第２の情報が露出し、視認可能になる。【００１６】  図５に、本実施例の薬袋１を使用する状態を示す。図示のように、薬を受け取った患者が、朝、薬を服用する場合、「朝」と記載されている蓋体１２ａを開き、中から薬１７を取り出す。そして、薬袋本体の裏面部１１ｂに記載されていた「朝」に対応する情報を読み取り、それに応じて、薬１７を服用する。同図によれば、第２の情報は、服用する薬の種類と服用量として、クラリス（錠剤）１錠、ロキソニン（錠剤）１錠、フスコデ（カプセル）１個が記載されており、服用方法として、「食後」に印（丸）がされており、さらに、各薬の写真が印刷されている。これらの情報を読み取れば、患者は、ミスなく、容易に医者の指示通りに薬を服用することが可能である。【００１７】  本発明の薬袋のサイズは、特に制限されない。本実施例の薬袋のサイズは、例えば、本例では、形成時に一辺が１３センチの正方形となっている。
【実施例２】
【００１８】  図６から図８に、本発明の薬袋の一実施例を示す。前記図６から図８までにおいて、前記図１から図５までと同一部分には同一符号を付している。【００１９】  本実施例の薬袋は、前期実施例１をさらに応用して作られるものである。実施例１に示した例に加え、以下の技術を付加するものである。図６は、図１を裏面からみた図である。図６において図示のように、接着面１８ａ、１８ｂ、１８ｃ、１８ｄ、１８ｅおよび１８ｆを接着可能な状態にしておく。図７、図８に図示のように、薬袋を形成した際接着面１８ａと接着面１８ｄ、接着面１８ｂと接着面１８ｅ、接着面１８ｃと接着面１８ｆがそれぞれ重なり合い、本発明の薬袋内部で接着されるものである。その結果図７、図８で図示されているように、接着面１８ａ、１８ｃを底部とする薬収容部１９ａ、接着面１８ａ、１８ｂを底部とする薬収容部１９ｂ、接着面１８ｂ、１８ｃを底部とする薬収容部１９ｃが形成される。薬収容部１９ａ、１９ｂおよび１９ｃはそれぞれ対応する第２の情報１６ａ、１６ｂおよび１６ｃとして記載されている薬を必要量だけ収納する。【００２０】  本実施例における接着方法は、特に制限されない。例えば接着面１８ａ、１８ｂおよび１８ｃに両面テープを貼っておき、本発明の薬袋を形成する際に両面テープの張り紙部分をはがし、接着するなどの例が考えられる。
【産業上の利用可能性】
【００２１】  以上のように、本発明の薬袋によれば、たくさんの薬袋を用意する必要がなく、服用ミスなしに、簡単に薬を服用することが可能となる。本発明の薬袋は、例えば、病院、調剤薬局等のように、服用方法が異なる複数の薬を処方するような場合に好ましく適用でき、その範囲は制限されず、広い範囲に適用可能である。
【図面の簡単な説明】
【００２２】
【図１】本発明の薬袋を切り出すために印刷された図面である。
【図２】本発明の薬袋を形成された後の表面の正面図である。
【図３】本発明の薬袋を形成し、蓋体部をひとつあけた状態の裏面の正面図である。
【図４】本発明の薬袋を形成し、蓋体部をすべて閉じた状態の裏面の正面図である。
【図５】形成された本発明の薬袋から、蓋体部をあけ薬を取り出す際の裏面の正面図である。
【図６】前記図１を裏面から見た図面である。
【図７】前記図３に加え、内部を接着した場合の接着面を示した図である。
【図８】前記図４に加え、内部を接着した場合の接着面を示した図である。
【符号の説明】
【００２３】１ａ  薬袋本体を形成するための一枚のシート
１１ａ  薬袋本体を形成するための正方形の正面部
１１ｂ  薬袋本体を形成するための正方形の裏面部
１２ａ、１２ｂ、１２ｃ  蓋体を形成するための略三角形状の蓋体部
１３ａ、１３ｂ、１３ｃ  蓋体部にいれられた直線状の切り欠き部
１４ａ、１４ｂ、１４ｃ  薬袋本体を構成する裏面部にいれられたスリット
１５ａ、１５ｂ、１５ｃ  蓋体部に記載されている第１の情報
１６ａ、１６ｂ、１６ｃ  裏面部の開口部を形成する三辺の周辺に記載されている第２の情報
１７  薬
１８ａ、１８ｂ、１８ｃ、１８ｄ、１８ｅ、１８ｆ  薬袋本体内部の接着面
１９ａ、１９ｂ、１９ｃ  薬収容部
【図１】
2008168086.tif 000003
【図２】
2008168086.tif 000004
【図３】
2008168086.tif 000005
【図４】
2008168086.tif 000006
【図５】
2008168086.tif 000007
【図６】
2008168086.tif 000008
【図７】
2008168086.tif 000009
【図８】
2008168086.tif 000010